(57)【要約】【課題】遠隔操作端末にサムネイル動画を表示させ、受像装置に表示或いは記憶させる動画像の選択を容易にする。【解決手段】サムネイル動画情報及び当該動画情報の識別信号を受信し、複数の前記サムネイル動画情報を表示装置の表示面に表示させ、前記サムネイル動画情報に対する選択操作を検出し、前記サムネイル動画に対する選択動作が検出された場合に、当該選択されたサムネイル動画と対応する前記識別信号を受像装置に送信する。【選択図】図１
2014060701.tif 000002
【特許請求の範囲】
【請求項１】
サムネイル配信装置と、遠隔操作装置と、受像装置を有し、
前記サムネイル配信装置が、
複数のチャネルで放送される動画情報のサムネイル動画情報を作成するサムネイル作成部と、
前記サムネイル動画情報と当該動画情報の識別信号とを対応付けて前記遠隔操作装置に送信するサムネイル送信部と、を備え、
前記遠隔操作装置が、
前記サムネイル動画情報及び当該動画情報の識別信号を受信するサムネイル受信部と、
前記サムネイル動画情報を表示装置の表示面に表示させる表示制御部と、
前記表示面に表示したサムネイル動画情報に対する操作を検出する検出部と、
前記サムネイル動画情報に対する選択動作が検出された場合に、当該選択されたサムネイル動画情報と対応する前記識別情報を受像装置に送信する信号送信部と、を備え、
前記受像装置が、
放送された前記動画情報を受信する動画受信部と、
前記遠隔操作装置から前記識別信号を受信する信号受信部と、
受信した前記識別信号と対応する動画情報を再生又は記憶する動画機能部と、を備える遠隔操作システム。
【請求項２】
前記遠隔操作システムが、前記動画情報の評価情報を管理する管理装置を更に備え、
前記遠隔操作装置及び前記受像装置の少なくとも一方が、前記動画情報の評価と評価時刻を示す評価情報を前記管理装置へ送信する評価送信部を備え、
前記管理装置が、
前記評価情報を取得する取得部と、複数の評価情報の評価を集計して評価の高い時刻を判定する判定部を備え、
前記サムネイル作成部が、前記動画情報のうち、前記評価の高い時刻の所定時間前のシーンからサムネイル動画情報を作成する請求項１に記載の遠隔操作システム。
【請求項３】
前記サムネイル配信装置は、前記動画情報が放送されるチャネルの数よりも少ない数の動画情報受信部を備え、
前記動画情報受信部が、受信するチャネルを所定時間毎に切り換え、各チャネルで受信した動画情報を前記サムネイル作成部へ送り、
前記サムネイル作成部が、各チャネルで受信した動画情報に基づいてサムネイル動画情報を作成する請求項１又は２に記載の遠隔操作システム。
【請求項４】
前記遠隔操作装置の表示制御部が前記表示装置に表示させるサムネイル動画情報の数がｎ、前記サムネイル配信装置の動画像受信部の数がｍの場合に、
前記表示制御部が、前記サムネイル動画情報をｍ／ｎの速度で表示させる、又はｎ／ｍ回繰り返して表示させる請求項３に記載の遠隔操作システム。
【請求項５】
前記サムネイル配信装置のサムネイル送信部が、前記複数のチャネルのサムネイル動画情報のうち、同じタイミングで表示するフレームを合成して一つの合成フレームとして送信し、
前記遠隔操作装置の表示制御部が、前記合成フレームから各サムネイル動画情報のフレームを抽出して表示させる請求項１又は２に記載の遠隔操作システム。
【請求項６】
サムネイル動画情報及び当該動画情報の識別信号を受信するサムネイル受信部と、
複数の前記サムネイル動画情報を表示装置の表示面に表示させる表示制御部と、
前記表示面に表示したサムネイル動画情報に対する選択操作を検出する検出部と、
前記サムネイル動画情報に対する選択動作が検出された場合に、当該選択されたサムネイル動画情報と対応する前記識別信号を受像装置に送信する信号送信部と、
を備える遠隔操作装置。
【請求項７】
サムネイル動画情報及び当該動画情報の識別信号を受信するステップと、
複数の前記サムネイル動画情報を表示装置の表示面に表示させるステップと、
前記表示面に表示したサムネイル動画情報に対する選択操作を検出するステップと、
前記サムネイル動画情報に対する選択動作が検出された場合に、当該選択されたサムネイル動画情報と対応する前記識別信号を受像装置に送信するステップと、
をコンピュータが実行する遠隔操作方法。
【請求項８】
サムネイル動画情報及び当該動画情報の識別信号を受信するステップと、
複数の前記サムネイル動画情報を表示装置の表示面に表示させるステップと、
前記表示面に表示したサムネイル動画情報に対する選択操作を検出するステップと、
前記サムネイル動画情報に対する選択動作が検出された場合に、当該選択されたサムネイル動画情報と対応する前記識別信号を受像装置に送信するステップと、
をコンピュータに実行させるための遠隔操作プログラム。
【発明の詳細な説明】
【技術分野】
【０００１】
本件は、テレビ等の動画像を受信する装置を遠隔操作する技術に関する。
【背景技術】
【０００２】
リビング等にテレビを設置した場合、ユーザは適切な視聴距離を隔てて視聴するため、遠隔操作装置、所謂リモコン（remote controller）を介して当該テレビを操作するのが
一般的である。
【０００３】
テレビのリモコンは、チャネルの選択や音量の調節を行う操作ボタンが備えられ、ユーザによって操作ボタンが選択されると、選択された機能を示す信号を赤外線等によってテレビに伝達して、当該機能を実行させる。
【０００４】
近年、スマートフォン等の携帯端末によってテレビのリモコンを模擬し、テレビを操作できるようにするアプリ（application software）も提案されている（特許文献１）。
【先行技術文献】
【特許文献】
【０００５】
【特許文献１】特開２０１２−８０４４４号公報
【特許文献２】特開２０１１−４１２２２号公報
【特許文献３】特開２０１０−１１９０６２号公報
【発明の概要】
【発明が解決しようとする課題】
【０００６】
携帯端末で遠隔操作を行うアプリは、タッチパネルディスプレイに操作ボタンを表示させ、ユーザに選択された操作ボタンに応じた信号をテレビへ送ることで、従来のリモコンと同じ操作が行えるようにしている。即ち、単に従来のリモコンを模擬したものであり、従来のリモコンを超えるものではなかった。
【０００７】
近年、ケーブルテレビや衛星放送の普及、テレビ放送のデジタル化等に伴い、多様なコンテンツが放送され、視聴可能なチャネル数は増加する傾向にある。このため、現在視聴しているテレビ番組以外に、他のチャネルでどのようなテレビ番組（以下、裏番組と称す）を放送しているのかが気になることがある。この場合、チャネルを順に代えて裏番組を確認することになるが、全てのチャネルを一つずつ確認するには時間がかかる。特にデジタル放送は、受信したフレームをバッファしてから表示するので、チャネルを代える度に、表示を開始するまでのタイムラグがあり、煩わしいという問題があった。また、チャネルを代えて裏番組をチェックした場合、裏番組をチェックしている間、元の番組が視聴できなくなるという問題があった。
【０００８】
このため、テレビ画面に複数のチャネルのサムネイル画像を表示させ、リモコンで選択した画像が表示される装置も提案されている（特許文献２）。
【０００９】
特許文献２のシステムにおいても、裏番組をチェックしている間は、元の番組の表示領域が限られてしまい視聴し難いという問題があった。
【００１０】
そこで、開示のシステムは、遠隔操作端末にサムネイル動画を表示させ、受像装置に表示或いは記憶させる動画像の選択を容易にする技術の提供を目的とする。
【課題を解決するための手段】
【００１１】
上記課題を解決するため、本発明の遠隔操作システムは、
サムネイル配信装置と、遠隔操作装置と、受像装置を有し、
前記サムネイル配信装置が、
複数のチャネルで放送される動画情報のサムネイル動画情報を作成するサムネイル作成部と、
前記サムネイル動画情報と当該動画情報の識別信号とを対応付けて前記遠隔操作装置に送信するサムネイル送信部と、を備え、
前記遠隔操作装置が、
前記サムネイル動画情報及び当該動画情報の識別信号を受信するサムネイル受信部と、
前記サムネイル動画情報を表示装置の表示面に表示させる表示制御部と、
前記表示面に表示したサムネイル動画情報に対する操作を検出する検出部と、
前記サムネイル動画情報に対する選択動作が検出された場合に、当該選択されたサムネイル動画情報と対応する前記識別情報を受像装置に送信する信号送信部と、を備え、
前記受像装置が、
放送された前記動画情報を受信する動画受信部と、
前記遠隔操作装置から前記識別信号を受信する信号受信部と、
受信した前記識別信号と対応する動画情報を再生又は記憶する動画機能部と、を備える。
【００１２】
前記遠隔操作システムは、前記動画情報の評価情報を管理する管理装置を更に備え、
前記遠隔操作装置及び前記受像装置の少なくとも一方が、前記動画情報の評価と評価時刻を示す評価情報を前記管理装置へ送信する評価送信部を備え、
前記管理装置が、
前記評価情報を取得する取得部と、複数の評価情報の評価を集計して評価の高い時刻を判定する判定部を備え、
前記サムネイル作成部が、前記動画情報のうち、前記評価の高い時刻の所定時間前のシーンからサムネイル動画情報を作成しても良い。
【００１３】
前記遠隔操作システムにおいて、
前記サムネイル配信装置は、前記動画情報が放送されるチャネルの数よりも少ない数の動画情報受信部を備え、
前記動画情報受信部が、受信するチャネルを所定時間毎に切り換え、各チャネルで受信した動画情報を前記サムネイル作成部へ送り、
前記サムネイル作成部が、各チャネルで受信した動画情報に基づいてサムネイル動画情報を作成しても良い。
【００１４】
前記遠隔操作システムは、
前記遠隔操作装置の表示制御部が前記表示装置に表示させるサムネイル動画情報の数がｎ、前記サムネイル配信装置の動画像受信部の数がｍの場合に、
前記表示制御部が、前記サムネイル動画情報をｍ／ｎの速度で表示させる、又はｎ／ｍ回繰り返して表示させても良い。
【００１５】
前記遠隔操作システムは、
前記サムネイル配信装置のサムネイル送信部が、前記複数のチャネルのサムネイル動画情報のうち、同じタイミングで表示するフレームを合成して一つの合成フレームとして送信し、
前記遠隔操作装置の表示制御部が、前記合成フレームから各サムネイル動画情報のフレームを抽出して表示させても良い。
【００１６】
また、本発明の遠隔操作方法は、
サムネイル動画情報及び当該動画情報の識別信号を受信するステップと、
複数の前記サムネイル動画情報を表示装置の表示面に表示させるステップと、
前記表示面に表示したサムネイル動画情報に対する選択操作を検出するステップと、
前記サムネイル動画情報に対する選択動作が検出された場合に、当該選択されたサムネイル動画情報と対応する前記識別信号を受像装置に送信するステップと、
をコンピュータが実行する。
【００１７】
また、本発明は、上記方法をコンピュータに実行させるためのプログラムであっても良い。更に、前記プログラムは、コンピュータが読み取り可能な記録媒体に記録されていても良い。
【００１８】
ここで、コンピュータが読み取り可能な記録媒体とは、データやプログラム等の情報を電気的、磁気的、光学的、機械的、または化学的作用によって蓄積し、コンピュータから読み取ることができる記録媒体をいう。このような記録媒体の内コンピュータから取り外し可能なものとしては、例えばフレキシブルディスク、光磁気ディスク、CD-ROM、CD-R/W、DVD、DAT、８mmテープ、メモリカード等がある。
【００１９】
また、コンピュータに固定された記録媒体としてハードディスクやＲＯＭ（リードオンリーメモリ）等がある。
【発明の効果】
【００２０】
開示のシステムは、遠隔操作端末にサムネイル動画を表示させ、受像装置に表示或いは記憶させる動画像の選択を容易にする技術を提供できる。
【図面の簡単な説明】
【００２１】
【図１】実施形態に係る遠隔操作システムの概略図
【図２】情報配信局の機能ブロックを示す図
【図３】受像装置の機能ブロックを示す図
【図４】遠隔操作装置の概略図
【図５】遠隔操作方法の説明図
【図６】サムネイル動画の表示例を示す図
【図７】実施形態２に係るサムネイル動画情報を作成する構成を示す図
【図８】実施形態２に係る情報配信局の機能ブロック図
【図９】受像装置側でサムネイル動画情報を作成する構成を示す図
【図１０】実施形態４におけるサムネイル動画情報の作成例を示す図
【図１１】実施形態５のサムネイル動画情報を作成する構成例を示す図
【図１２】実施形態５のサムネイル動画情報を受像装置で受信する構成を示す図
【図１３】実施形態６に係るサムネイル動画の表示例を示す図
【図１４】実施形態７に係る遠隔操作システムの概略図
【図１５】視聴ログ管理サーバの機能ブロックを示す図
【図１６】実施形態７に係る受像装置の機能ブロックを示す図
【図１７】実施形態７に係る遠隔操作装置の概略構成を示す図
【図１８】遠隔操作装置においてテレビ番組の評価やＳＮＳへの投稿を行う場合のユーザインタフェースの説明図
【図１９】視聴ログ記憶部に記憶された視聴ログの一例を示す図
【図２０】情報配信装置のサムネイル作成部がサムネイル動画像を作成する処理の説明図
【発明を実施するための形態】
【００２２】
以下、図面を参照して本発明を実施するための形態について説明する。以下の実施の形態の構成は例示であり、本発明は実施の形態の構成に限定されない。
（１）システムの概要
図１は、実施形態に係る遠隔操作システム１０の概略図である。
【００２３】
遠隔操作システム１０は、テレビ番組を放送する放送局装置１や、サムネイル動画情報等の番組情報を放送する情報配信装置２、テレビ番組を受信する受像装置３、受像装置３を遠隔操作する遠隔操作装置４を有する。
【００２４】
放送局装置１は、放送局Ａ〜ｎに備えられ、映像、音声、文字情報等を含む動画像情報をテレビ番組として所定の放送時間に放送する。ここで、放送の形式は特に限定されず、地上波放送や衛星放送であっても、光ファイバ等のケーブルを介した有線放送であっても良い。
【００２５】
図２は、情報配信装置２の機能ブロックを示す図である。図２に示すように、情報配信装置２は、番組受信部２１や、サムネイル作成部２２、サムネイル送信部２３を備えている。情報配信装置２は、サムネイル配信装置の一形態である。
【００２６】
番組受信部２１は、複数の放送局Ａ〜ｎからの放送波を受信し、各放送局Ａ〜ｎで放送されているテレビ番組を取得する。テレビ番組（動画像情報）は、動画像のほか、当該動画像を放送している放送局の識別情報や、番組名、出演者などの属性情報を含んでも良い。なお、出演者や各放送局の番組表などの情報は、放送波だけでなく、インターネット等のネットワークを介して他のコンピュータから受信する構成でも良い。例えば、当該テレビ番組に対してＳＮＳに投稿された情報や投稿数等の情報を取得し、テレビ番組（動画像情報）に付加しても良い。
【００２７】
サムネイル作成部２２は、各局Ａ〜ｎで放送している動画情報を所定サイズに縮小すると共に、フレームレートを少なくしてサムネイル動画を生成する。例えば、１９２画素×１０８画素、２〜１０ｆｐｓとする。なお、画素サイズやフレームレートは、任意に設定可能である。また、サムネイル動画情報は、放送局から受信したテレビ番組をリアルタイムに処理して作成しても良いし、各放送局から数十秒先行して情報配信装置２へ動画情報を送り、作成したサムネイル画像を実際の放送時間にあわせてリアルタイムに送信してもよい。
【００２８】
サムネイル送信部２３は、サムネイル動画情報と当該動画情報の識別信号とを対応付けて送信する。このサムネイル動画情報及び識別信号の送信は、放送波に乗せて送出しても良いし、インターネット等のネットワークを介して配信しても良い。
【００２９】
受像装置３は、テレビ番組を受信して表示する所謂テレビであり、図３に示すように番組受信部３１や、表示部３２、サムネイル送信部３３、信号受信部３４、機能部３５を有している。
【００３０】
番組受信部３１は、テレビ番組、サムネイル動画情報、及び識別信号を受信するチューナである。
【００３１】
表示部３２は、液晶表示パネルやＥＬパネルなどの表示素子である。
【００３２】
サムネイル送信部３３は、情報配信装置２から受信したサムネイル動画情報及び識別信号を遠隔操作装置４へ送信する。
【００３３】
信号受信部３４は、遠隔操作装置４から制御信号を受信する。ここで制御信号は、表示するテレビ番組を指定する識別信号を含む。
【００３４】
機能部３５は、受信した識別信号と対応するテレビ番組を再生して表示部３２に表示させる。本実施形態において、受像装置３は、機能部３５によりテレビ番組を表示させるテレビとしたが、これに限らず受像装置３は、機能部３５が記憶部（不図示）にテレビ番組を記憶するレコーダであっても良い。また、受像装置３は、テレビ番組の表示及び記憶を行う装置であっても良い。
【００３５】
図４は、本実施形態における遠隔操作装置４の概略構成図である。図４に示すように、遠隔操作装置４は、本体内にＣＰＵ（central processing unit）やメインメモリ等より
なる演算処理部４６、演算処理の為のデータやソフトウェアを記憶した記憶部（フラッシュメモリ）４７、入出力ポート４４、通信制御部（ＣＣＵ：Communication Control Unit）４５等を備えたコンピュータである。特に本実施形態の遠隔操作装置４は、小型の装置であって、例えばスマートフォン、携帯電話、タブレットＰＣ、電子書籍リーダー、携帯型ゲーム機である。
【００３６】
該入出力ポート４４には、操作ボタンや、記憶媒体（メモリカード等）の読み取り装置、タッチパネル等の入力デバイス（入力手段）、そしてディスプレイ（表示部）や記憶媒体の書き込み装置、スピーカ等の出力デバイス（出力手段）が適宜接続される。
【００３７】
タッチパネル（検出部）は、ディスプレイ（表示部）の表示面上に重畳された透明のパネルであり、タッチパネルディスプレイは、このタッチパネルとディスプレイとを備えている。
【００３８】
例えば、抵抗膜方式のタッチパネルであれば、一対の透明な抵抗膜を所定の間隔を空けて対向配置し、一方の抵抗膜の所定方向に電圧を印加する。そして、ユーザが指やスタイラス等で触れた場合に、触れた箇所の抵抗膜が押され、対向配置した一対の抵抗膜が接触して導通する。このとき抵抗膜の接触位置によって、電流の流路となる抵抗膜上の距離が変化するので、導通した抵抗膜間の抵抗値が、この抵抗膜上の距離に応じたものとなり、接触位置に応じた電圧値が抵抗膜間に生じることになる。そこで、電圧を印加する方向を縦位置と横位置に切替えて抵抗膜間の電圧値を測定することにより、接触箇所の縦位置（ｙ方向の位置）と横位置（ｙ方向の位置）、即ち座標データが検出できる。
【００３９】
また、投影型静電容量方式のタッチパネルであれば、絶縁性の平板の裏側に縦位置検出用の電極と横位置検出用の電極をマトリクス状に配置する。そして、ユーザが指や導電性のスタイラスでタッチパネルに触れると、この指やスタイラスが誘電体となり、接触箇所の電極の静電容量が変化する。そこで、縦位置検出用の電極のうち、何れの電極の静電容量が変化したかによって、接触箇所の縦位置（ｙ方向の位置）を検出し、横位置検出用の電極のうち、何れの電極の静電容量が変化したかによって、接触箇所の横位置（ｙ方向の位置）を検出することにより座標データが検出できる。なお、隣接する電極間で、静電容量の変化によって生じる電流の比率を求めることによって、更に詳細な位置を検出することもできる。
【００４０】
なお、タッチパネルは、上記抵抗膜方式や静電容量方式に限らず、ユーザによる操作がデータとして取得できるものであれば良い。
【００４１】
ＣＣＵ４５は、ネットワークを介して他のコンピュータとの通信を制御するものである。
【００４２】
記憶部４７には、オペレーティングシステム（ＯＳ）やアプリケーションプログラム（遠隔操作プログラムなど）が記憶されている。
【００４３】
演算処理部４６は、前記ＯＳやアプリケーションプログラムを記憶部１７から適宜読み出して実行し、入出力ポート１４やＣＣＵ１５から入力された情報、及び記憶部１７から読み出した情報を演算処理することにより、サムネイル受信部や、表示制御部、信号送信部としても機能する。
【００４４】
サムネイル受信部は、前記サムネイル動画情報及び当該動画情報の識別信号を受信する。
【００４５】
表示制御部は、前記サムネイル動画情報を表示装置の表示面に表示させる。
【００４６】
信号送信部は、前記サムネイル動画に対する選択動作が検出された場合に、当該選択されたサムネイル動画と対応する前記識別情報を受像装置に送信する。
【００４７】
図５は、遠隔操作装置４が、遠隔操作プログラムに従って実行する遠隔操作方法の説明図である。
【００４８】
受像装置３からサムネイル動画情報及び当該動画情報が送信されると。遠隔操作装置４は、図５の処理を開始する。
【００４９】
まず、遠隔操作装置４の演算処理部４６は、サムネイル動画情報及び当該動画情報の識別信号を受信し、メモリ等に記憶する（ステップＳ１０）。
【００５０】
また、演算処理部４６は、複数の前記サムネイル動画情報をタッチパネルディスプレイ１０の表示面に表示させる（ステップＳ２０）。図６は、サムネイル動画情報の表示例である。図６に示すように、複数のサムネイル６１や番組表等の属性情報６２を表示する。このサムネイル動画情報を含む表示画像は、情報配信装置２のサムネイル作成部２２が複数のサムネイル動画情報をまとめて一つの画像として配信してもよいし、受像装置３や遠隔操作装置４が複数のサムネイル動画情報をまとめて一つの画像としてもよい。ここでサムネイル動画情報の並び順は、チャネル番号順のほか、過去の視聴ログが多い番組や、ジャンル順、ＳＮＳの人気順（投稿数の順）、放送局のお薦め順などを選択できる。
【００５１】
ユーザは、タッチパネルディスプレイ１０に表示されたサムネイル動画情報をタップしたり、所定の方向（テレビの方向）にスワイプしたりすることにより、サムネイル動画情報を選択する。このサムネイル動画情報に対する選択操作を検出すると（ステップＳ３０）、当該選択されたサムネイル動画と対応する前記識別信号を受像装置に送信し（ステップＳ４０）、当該動画像を表示させる。なお、演算処理部４６はステップＳ１０に戻り、これらの処理Ｓ１０〜Ｓ４０を所定周期で繰り返す。
【００５２】
以上のように本実施形態によれば、遠隔操作装置（リモコン）上でサムネイル動画を見ながら次に視聴するテレビ番組を選択することができる。
【００５３】
〈実施形態２〉
前述の実施形態では、サムネイル動画情報を情報配信装置２が作成したが、これに限らず各放送局側でサムネイル動画情報を作成する構成、即ち放送局装置１がサムネイル配信装置として機能する構成としても良い。図７は、実施形態２において、放送局側でサムネイル動画情報を作成する構成を示す図である。なお、その他の構成は、前述の実施形態１と同じであるため、同一の要素には同符号を付す等して再度の説明を省略する。
【００５４】
本実施形態２において、各放送局装置１は、テレビ番組（動画像）を放送する放送設備１１や、サムネイル動画情報を作成するサムネイル作成部１２、データ放送部１３を備えている。
【００５５】
放送設備１１は、動画像を記憶する記憶部や動画像を放送波として出力する出力部を有する放送用の設備である。
【００５６】
サムネイル作成部１２は、放送設備１１からＨＤ−ＳＤＩ等のケーブルを介して動画像を受信し、サムネイル動画情報を作成する。また、サムネイル作成部１２は、作成したサムネイル動画情報を情報配信装置２０へ送信する。なお、サムネイル作成部１２から情報配信装置２０への送信は、電波を用いた放送によるものでもネットワークを介した通信によるものであっても良い。
【００５７】
図８は実施形態２に係る情報配信装置２０の説明図であり、図８（ａ）は情報配信装置２０の機能ブロック図、図８（ｂ）は合成フレームの説明図、図８（ｃ）は合成フレームからサムネイル動画情報のフレームを抽出する説明図である。図８に示すように情報配信装置２０は、サムネイル受信部２４と、サムネイル合成部２５、サムネイル送信部２６を有している。
【００５８】
サムネイル受信部２４は、各放送局Ａ〜ｎのサムネイル作成部１２からサムネイル動画情報を受信する。
【００５９】
サムネイル合成部２５は、サムネイル受信部２４で受信した全放送局のサムネイル動画情報を多重化や圧縮により合成する。例えば複数のチャネルのサムネイル動画情報のうち、同じタイミングで表示するフレームを合成して一つの合成フレームとする。図８（ｂ）はサムネイル動画情報のフレームａ〜ｎを合成した合成フレーム２５０の例を示す。図８（ｂ）において、合成フレーム２５０の領域２５１〜２５３，２５９がサムネイル動画情報のフレームａ〜ｃ，ｎに相当する。
【００６０】
サムネイル送信部２６は、サムネイル合成部２５で合成した全放送局のサムネイル動画情報を各放送局Ａ〜ｎへ送信する。
【００６１】
情報配信装置２０からサムネイル動画情報を受信した各放送局装置１は、データ放送部１３から全放送局分、即ち全チャネル分のサムネイル動画情報を放送する。
【００６２】
受像装置３は、番組受信部３１でサムネイル動画情報を受信し、サムネイル送信部３３から遠隔操作装置４へ送信する。遠隔操作装置４は、受信したサムネイル動画情報を表示して当該サムネイルの選択等の操作を可能にする。なお、情報配信装置２０からサムネイル動画情報が合成フレーム２５０で送信された場合、遠隔操作装置４の表示制御部は、図８（ｃ）のように、合成フレーム２５０上の各画素の位置等に基づいて、各チャネルのサムネイル動画情報のフレームに対応する夫々の領域２５１〜２５９から各チャネルのサムネイル動画情報のフレームを抽出して表示する。
【００６３】
〈実施形態３〉
図９は、受像装置側でサムネイル動画情報を作成する構成を示す図である。本実施形態３では、受像装置３が、前述の図３の構成に加え、図９に示すように番組受信部３１として複数のチューナ３１Ａ，３１Ｂを有すると共に、サムネイル作成部３６を有している。即ち、受像装置３がサムネイル配信装置としても機能する構成である。なお、その他の構成は、前述の実施形態１と同じであるため、同一の要素には同符号を付す等して再度の説
明を省略する。本実施形態３において、チューナ３１Ａ，３１Ｂは、動画情報受信部の一形態である。
【００６４】
受像装置３は、複数のチューナ３１Ａ，３１Ｂで受信した動画像情報の少なくとも一部をサムネイル作成部３６へ送り、サムネイル作成部３６でサムネイル動画情報を作成してサムネイル送信部３３から遠隔操作装置４へ送信する。ここでチューナ３１Ａ，３１Ｂは、順次チャネルを切り換えてテレビ番組（動画像）を受信し、所定周期で全チャネルを巡回することで、チューナの搭載数がチャネル数よりも少なくても全てのチャネルからサムネイル用の動画情報を得られる構成としている。
【００６５】
このようにチャネルを順次切り換えて、動画情報を取得すると、各チャネルの動画情報は、間欠的な動画となる。受像装置３に搭載するチューナの数が多いほど各チャネルを巡回する間隔が短くなるため、サムネイル動画情報の質を高くできるが、部品点数が増加し、製造コストが高くなり易い。このため、例えばサムネイル表示に適した２〜５ｆｐｓ程度のフレーム数が確保できるように、サムネイル用の動画情報を受信するチューナを２〜４台備えるのが望ましい。
【００６６】
また、複数のサムネイル用のチューナを全て順次切り換えることに限らず、ユーザが最も気になる裏番組を選択すると、このチャネルの動画情報を受信するチューナは、他のチャネルへの切り換えを行わずに連続的に動画情報を取得して、フレームレートの高いサムネイル動画を遠隔操作装置４に表示させるようにし、他のチューナは順次チャネルを切り換えて間欠的に動画情報を取得する構成にしても良い。
【００６７】
例えば、遠隔操作装置４に表示されている複数のサムネイル動画情報のうち、ユーザが気になる番組をピンチアウトする等して指定すると、遠隔操作装置４がこの選択信号を受像装置３へ送信し、番組受信部３１のチューナ３１Ａが当該番組（チャネル）の動画情報を連続的に取得してサムネイル作成部３６でフレームレートの高いサムネイル動画情報を作成し、遠隔操作装置４へ送って表示させる。
【００６８】
〈実施形態４〉
図１０は、受像装置が全チャネルの動画情報を受信し、全チャネル分のサムネイル動画情報を並行して作成する例を示す図である。本実施形態４では、図１０に示すように受像装置３が、番組受信部３１０として全チャネルを同時に受信可能な複数のチューナを有すると共に、全チャネル分のサムネイル動画情報を並行して作成するサムネイル作成部３６０及びサムネイル送信部３３０を有している。なお、その他の構成は、前述の実施形態１と同じであるため、同一の要素には同符号を付す等して再度の説明を省略する。
【００６９】
番組受信部３１０は、表示や録画のためのチューナのほか、サムネイル用のチューナを全チャネル分（例えば８〜１５）備え、各チャネルの動画情報を同時に受信できる。このためチャネルを切り換えることなく、サムネイル作成部３６０で全チャネル分のサムネイル動画情報を連続して作成でき、遠隔操作装置４に高品質なサムネイル動画情報を表示させることができる。
【００７０】
〈実施形態５〉
図１１は、各放送局でそれぞれサムネイル動画情報を作成し放送する構成を示す図、図１２は各放送局から放送されるサムネイル動画情報を受像装置で受信する構成を示す図である。なお、その他の構成は、前述の実施形態１と同じであるため、同一の要素には同符号を付す等して再度の説明を省略する。
【００７１】
本実施形態５において、各放送局装置１は、テレビ番組（動画像）を放送する放送設備
１１や、サムネイル動画情報を作成するサムネイル作成部１２、データ放送部１３を備えている。
【００７２】
放送設備１１は、動画像を記憶する記憶部や動画像を放送波として出力する出力部を有する放送用の設備である。
【００７３】
サムネイル作成部１２は、放送設備１１からＨＤ−ＳＤＩ等のケーブルを介して動画像を受信し、サムネイル動画情報を作成する。また、サムネイル作成部１２は、作成したサムネイル動画情報をデータ放送部１３へ送信する。
【００７４】
データ放送部１３は、サムネイル作成部１２で作成したサムネイル動画情報を放送する。即ち各放送局装置１は、それぞれ自局のサムネイル動画情報のみを放送する。
【００７５】
本実施形態５では、受像装置３が、前述の図３の構成に加え、図１２に示すように番組受信部３１として複数のチューナ３１Ｘ，３１Ｙを有する。
【００７６】
受像装置３は、複数のチューナ３１Ｘ，３１Ｙでサムネイル動画情報を受信してサムネイル送信部３３から遠隔操作装置４へ送信する。ここでチューナ３１Ｘ，３１Ｙは、順次チャネルを切り換えてサムネイル動画情報を受信し、所定周期で全チャネルを巡回することで、チューナの搭載数ｍがチャネル数ｎよりも少なくても全チャネルのサムネイル動画情報が得られる構成としている。
【００７７】
例えば図１２に示すように、一つの（ｍ個の）チューナ３１Ｘで５チャネル（ｎチャネル）を切り換えて受信する場合、放送局Ａのサムネイル動画情報Ａ１を５秒分受信し、この５秒分のサムネイル動画情報を遠隔操作装置４に送って表示させている間に、チューナ３１Ｘは次の放送局Ｂのサムネイル動画情報Ｂ１を５秒分受信する。そして、この５秒分のサムネイル動画情報を遠隔操作装置４に送って表示させている間に、チューナ３１Ｘは次の放送局Ｃのサムネイル動画情報Ｃ１を５秒分受信し、同様に放送局Ａ〜Ｅのサムネイル動画情報の受信を繰り返す。即ち、一つのチャネルのサムネイル動画情報が２５秒おきに更新される。このため遠隔操作装置４は、５秒分のサムネイル動画情報を次の更新まで繰り返し表示、即ちｎ／ｍ回繰り返して表示しても良いし、５秒分のサムネイル動画情報を次の更新まで例えば１／５のスピード、即ちｍ／ｎの速度でスロー再生しても良い。
【００７８】
また、各放送局側のサムネイル作成部１２で、サムネイル動画情報を例えば１／５に圧縮して放送することで、遠隔操作装置４側で５秒分のサムネイル動画情報を２５秒分に戻して表示することで各チャネルのサムネイル動画情報をシームレスに表示できる。
【００７９】
切り換えのタイミングは、５秒に限らず、１秒毎や、数フレーム毎など、任意に設定して良い。
【００８０】
〈実施形態６〉
図１３は遠隔操作装置の表示例を示す図である。図１３において、７１は電源のＯＮ／ＯＦＦを切り換える電源ボタン、７２は音量の調節を行う音量調節ボタンである。
【００８１】
また、図１３において、画面中央のアプリ表示欄７３は、アンケートやクイズ、番組情報の表示など、テレビ番組と連動したアプリの表示を行う。
【００８２】
画面下段のサムネイル表示欄７４は、受像装置３から受信した複数のサムネイル動画情報を表示する。前述の図６と同様に、これらのサムネイル動画情報に対してタップやスワイプ、ピンチアウトなどを行うことで、各チャネルの選択等の操作を行うことができる。
【００８３】
〈実施形態７〉
本実施形態７の遠隔操作システム１０は、視聴ログを記憶する視聴ログ管理サーバを備え、この視聴ログに基づいて情報配信装置２がサムネイル動画情報を作成する。なお、その他の構成は、前述の実施形態１と同じであるため、同一の要素には同符号を付す等して再度の説明を省略する。
【００８４】
図１４は、本実施形態７に係る遠隔操作システム１０の概略図である。視聴ログ管理サーバ（管理装置）５は、インターネット等のネットワークを介して受像装置３や遠隔装置４と接続して視聴ログを取得する。また、情報配信装置２のサムネイル作成部２２は、ネットワークを介して視聴ログ管理サーバ４から視聴ログを取得し、視聴ログに基づいて評価が高いシーンのサムネイル動画情報を作成する。
【００８５】
図１５は、視聴ログ管理サーバ５の機能ブロックを示す図である。図１５に示すように、視聴ログ管理サーバ５は、視聴ログ取得部５１や、視聴ログ登録部５２、判定部５３、視聴ログ記憶部５４を備えている。
【００８６】
視聴ログ取得部５１は、例えば受像装置３や遠隔装置４からネットワークを介して送信された視聴ログを受信する。また、視聴ログ取得部５１は、テレビ番組についてＳＮＳに投稿されたデータや、視聴率データを視聴ログとして他の装置から取得しても良い。
【００８７】
視聴ログ登録部５２は、取得した視聴ログを視聴ログ記憶部５４に記憶させる。
登録する。
判定部５３は、テレビ番組の動画像情報のうち、視聴ログに基づいて視聴者の評価が高かった時刻を判定する。
【００８８】
視聴ログ管理サーバ５は、ＣＰＵやメインメモリ等よりなる演算処理部、演算処理の為のデータやソフトウェアを記憶した記憶部（副記憶装置）、入出力ポート、通信制御部（ＣＣＵ）等を備えたコンピュータである。この記憶部は、オペレーティングシステム（ＯＳ）やアプリケーションプログラムを記憶すると共に、視聴ログを記憶し、視聴ログ記憶部５４としても機能する。
【００８９】
視聴ログ管理サーバ５の演算処理部は、ＯＳやアプリケーションプログラムを記憶部から適宜読み出して実行し、入出力ポートや通信制御部から入力された情報、及び記憶部から読み出した情報を演算処理することにより、視聴ログ取得部５１や、視聴ログ登録部５２、判定部５３として機能する。
【００９０】
また、図１６は、本実施形態７に係る受像装置３の機能ブロックを示す図である。図１６に示すように、本実施形態７に係る受像装置３は、図３の構成に加えて視聴ログ送信部３７を備えている。
【００９１】
視聴ログ送信部３７は、受像装置３が視聴者の操作によって表示部３２に表示したテレビ番組の識別情報や、当該テレビ番組の表示を開始した時刻、即ち視聴開始時刻と、当該テレビ番組の表示をやめた時刻、即ち視聴終了時刻等の情報を視聴ログとして視聴ログ管理サーバ５へ送信する。なお、テレビ番組の識別情報は、テレビ番組毎に固有に割り当てられたＩＤや、当該テレビ番組を放送する放送局のＩＤと放送時間、当該テレビ番組を放送するチャネルのＩＤと放送時刻など、テレビ番組を特定できる情報であれば良い。なおや、テレビ番組で放送されるコンテンツが映画やミュージックビデオ等、固有のタイトルやＩＤを有する場合、このタイトルやＩＤを識別情報としても良い。
【００９２】
図１７は、本実施形態７に係る遠隔操作装置４の概略構成を示す図である。図１７に示すように、本実施形態７に係る遠隔操作装置４は、図４の構成に加えて視聴ログ送信部を備えている。なお、図４の例では、演算処理部４６が、プログラムに従って演算処理を実行することにより、視聴ログ送信部を実現している。
【００９３】
遠隔操作装置４の視聴ログ送信部は、視聴者がサムネイル動画情報を選択する等、テレビ番組の視聴に関する操作を行った場合に、当該テレビ番組の識別情報や、当該テレビ番組の表示を開始した時刻、即ち視聴開始時刻と、当該テレビ番組の表示をやめた時刻、即ち視聴終了時刻、当該テレビ番組の評価、当該テレビ番組に関するＳＮＳへの投稿等の情報を視聴ログとして視聴ログ管理サーバ５へ送信する。
【００９４】
図１８は、遠隔操作装置４においてテレビ番組の評価やＳＮＳへの投稿を行う場合のユーザインタフェースの説明図である。
【００９５】
図１８に示すように、遠隔操作装置４のディスプレイには、サムネイル表示欄４４と共に、評価ボタン７５や、ＳＮＳ投稿欄７６が表示される。
【００９６】
評価ボタン７５は、「最高」「いいね」「いまいち」「最低」等、視聴者がテレビ番組に対する評価を選択するボタンである。なお、評価の内容は、これに限らず、「おもしろい」「ほのぼの」「泣ける」など、任意の内容を採用しても良い。
【００９７】
視聴者によって評価ボタン７５が選択されると、遠隔操作装置４は、「最高」「いいね」などの選択された評価情報と、選択された時刻（評価時刻）、視聴中のテレビ番組の識別情報等の情報を視聴ログとして視聴ログ管理サーバ５へ送信する。
【００９８】
また、ＳＮＳ投稿欄７６は、ＳＮＳへ視聴中のテレビ番組に関する投稿をする入力欄であり、コメント欄７６１や投稿ボタン７６２を有している。
【００９９】
視聴者によってコメント欄７６１にコメントが入力され、投稿ボタン７６２が選択されると、遠隔操作装置４は、コメント欄７６１に入力されたコメントに、視聴中の視聴中のテレビ番組の識別情報を所定形式のタグとして付加し、ＳＮＳのサーバ（不図示）へ送信する。ここでタグとは、ＳＮＳのサーバから当該情報を索出する際のキーワードとなる情報である。このタグは、単にコメントに続けて付加しても良いが、＃や＠等の特定の記号や文字列を先頭に付けるといった当該ＳＮＳで定められた形式で付加しても良い。
【０１００】
上記のように受像装置３や遠隔操作装置４から送信された視聴ログを受信した視聴ログ管理サーバ５は、この視聴ログを視聴ログ記憶部５４に記憶させ、蓄積する。また、視聴ログ管理サーバ５は、定期的にＳＮＳのサーバにアクセスし、テレビ番組に関するタグが付されている投稿と、その投稿時刻を取得し、視聴ログとして視聴ログ記憶部５４に記憶させ、蓄積する。図１９は、視聴ログ記憶部５４に記憶された視聴ログの一例を示す図である。
【０１０１】
図１９に示すように、視聴ログは、テレビ番組の識別情報や、視聴開始時刻、視聴終了時刻、評価情報、評価時刻等を対応付けて記憶されている。なお、本実施形態７では、ＳＮＳのサーバから取得した投稿からのタグからテレビ番組の識別情報を特定し、当該テレビ番組に対する投稿があったことを評価とし、投稿時刻を評価時刻として記憶させている。即ち、ＳＮＳへの投稿が多かった場合に高い評価とする。なお、これに限らず、投稿されたコメント自体を評価情報として記憶させても良いし、コメントから「おもしろい」「最高」といった評価に相当する語を抽出して記憶させても良い。
【０１０２】
視聴ログ管理サーバ５の判定部５３は、テレビ番組の評価を行う場合、当該テレビ番組の識別情報と対応する視聴ログを図１９の視聴ログ記憶部５４から抽出し、所定時間（例えば１分間）あたりの評価が高かった時刻を求める。例えば「最高」は＋２、「いいね」は＋１、「いまいち」は−１、「最低」は−２、ＳＮＳの投稿は１件当たり＋２のように、評価情報を数値化し、所定時間毎に集計して数値の高かった時刻を求める。
【０１０３】
図２０は、情報配信装置２のサムネイル作成部２２がサムネイル動画像を作成する処理の説明図である。
【０１０４】
図２０のサムネイル作成処理が開始されると、サムネイル作成部２２は、先ずサムネイル動画像を作成するテレビ番組の情報から識別情報を取得し（ステップＳ１１０）、当該識別情報と対応するテレビ番組の評価を視聴ログ管理サーバ５に要求する（ステップＳ１２０）。
【０１０５】
視聴ログ管理サーバ５から評価結果として評価の高かった時刻を受信すると、サムネイル作成部２２は、当該時刻から所定時間前のシーンをハイライトシーンとして特定する（ステップＳ１３０）。なお、上記視聴ログは、視聴者がテレビ番組を見た後に評価ボタン７５を選択することや、ＳＮＳへ投稿することにより生成されるので、実際に視聴者が評価しよう又は投稿しようと思ったシーンの放送時刻との間にタイムラグがある。このため、視聴ログ管理サーバ５で評価が高かったと判定した時刻よりも所定時間前のシーンをハイライトシーンとして求める。なお、評価ボタン７５による評価情報や、ＳＮＳの投稿情報など、評価情報が複数種類にわたる場合には、評価情報の種類毎に所定時間を異なる値に設定しても良い。
【０１０６】
そして、サムネイル作成部２２は、ハイライトシーンから所定時間毎にフレームを抽出し、これらのフレームを時間的に連続させてサムネイル動画情報を作成する（ステップＳ１４０）。例えばハイライトシーンの動画情報のうち、Ｉフレームを１秒間あたり２〜１０フレーム抽出し、このフレームを連続させて動画情報とする。
【０１０７】
以上のように、本実施形態７によれば、テレビ番組の再放送やオンドマンド配信を行う際に、以前の放送時の評価に基づいて容易にハイライトシーンのサムネイル動画情報を作成することができる。即ち、サムネイル動画情報を作成するにあたり、人がハイライトシーンを判断するといった手間を省き、機械的にサムネイル動画情報を作成できる。
【０１０８】
なお、上記の例では、情報配信装置２のサムネイル作成部２２がサムネイル動画情報を作成する場合について示したが、図９，図１０に示した受像装置３側のサムネイル作成部３６，３６０がサムネイル動画情報を作成する場合も図２０と同様に視聴ログ管理サーバ５から評価の高かった時刻を取得し、当該時刻の所定時間前をハイライトシーンと特定して、ハイライトシーンからサムネイル動画像を作成できる。
【０１０９】
〈その他〉
本発明は、上述の図示例にのみ限定されるものではなく、上記の各要素を組み合わせるなど、本発明の要旨を逸脱しない範囲内において種々変更を加え得ることは勿論である。
【符号の説明】
【０１１０】
１  放送局
２  情報配信局
３  受像装置
４  遠隔操作装置
１０  遠隔操作システム
【図１】
2014060701.tif 000003
【図２】
2014060701.tif 000004
【図３】
2014060701.tif 000005
【図４】
2014060701.tif 000006
【図５】
2014060701.tif 000007
【図６】
2014060701.tif 000008
【図７】
2014060701.tif 000009
【図８】
2014060701.tif 000010
【図９】
2014060701.tif 000011
【図１０】
2014060701.tif 000012
【図１１】
2014060701.tif 000013
【図１２】
2014060701.tif 000014
【図１３】
2014060701.tif 000015
【図１４】
2014060701.tif 000016
【図１５】
2014060701.tif 000017
【図１６】
2014060701.tif 000018
【図１７】
2014060701.tif 000019
【図１８】
2014060701.tif 000020
【図１９】
2014060701.tif 000021
【図２０】
2014060701.tif 000022